(57)【要約】【課題】欠如歯部の顎骨に効率的に人工歯根を埋入すべく埋入孔を穿設することが可能な埋入孔形成治具および歯用施術器具を提供する。【解決手段】人工歯根４５を埋入させる埋入孔４４、４８を欠如歯部の顎骨４２、４７に形成するための埋入孔形成治具８、２５であって、先端部１１、２８から基端部１２、２９に向けて漸次直径が大きくなる軸部９、２６の先端部１１、２８側の外周に、多条ネジによって螺子部１３、３０が形成され、且つ軸部９、２６の基端部１２、２９に、軸部９、２６に回転力を付与するための工具４１、４９が係合される係合部１０、２７が一体に連設けられてなることを特徴とする。【選択図】図１
2011024671.tif 000002
【特許請求の範囲】
【請求項１】
人工歯根を埋入させる埋入孔を欠如歯部の顎骨に形成するための埋入孔形成治具であって、
先端部から基端部に向けて漸次直径が大きくなる軸部の先端部側の外周に、多条ネジによって螺子部が形成され、且つ上記軸部の基端部に、上記軸部に回転力を付与するための工具が係合される係合部が一体に連設されてなることを特徴とする埋入孔形成治具。
【請求項２】
上記係合部は、外周に上記工具が着脱自在に係合される外周係合部と、端面に上記工具の接合部材が着脱自在に係合される端面係合部とを備えてなることを特徴とする請求項１に記載の埋入孔形成治具。
【請求項３】
複数本の請求項１または請求項２に記載の上記埋入孔形成治具を有してなり、且つ当該複数本の上記埋入孔形成治具は、上記軸部の先端と基端との間の長さ寸法が、前歯部に上記人工歯根を埋入可能となる寸法に形成された複数本の前歯部用埋入孔形成治具と、臼歯部に上記人工歯根を埋入可能となる寸法に形成された複数本の臼歯部用埋入孔形成治具によって構成されてなることを特徴とする歯用施術器具。
【請求項４】
複数本の上記前歯部用および臼歯部用埋入孔形成治具は、それぞれ上記螺子部の先端部側の呼び径が、０．４ｍｍ以下の一定間隔をおいて、段階的に大きくなるように形成されているとともに、上記段階的に形成された複数の前歯部用および臼歯部用埋入孔形成治具は、それぞれ段階毎に、上記基端部の径が、上記先端部の呼び径に比べて同径または大径となる寸法に形成されていることを特徴とする請求項３に記載の歯用施術器具。
【発明の詳細な説明】
【技術分野】
【０００１】
本発明は、人工歯根を埋入させる埋入孔を、欠如歯部の顎骨に形成するための埋入孔形成治具、および複数本の当該埋入孔形成治具により構成された歯用施術器具に関するものである。
【背景技術】
【０００２】
近年、歯の欠損・損失時における治療方法として、欠如歯部の顎骨に人工歯根を埋入するための埋入孔を形成し、当該埋入孔に人工歯根を埋入した後に、当該人工歯根にクラウンやブリッジ等の歯の形状を模した歯科用補綴物を接着剤などを用いて固定するインプラント治療が知られている。
【０００３】
そして、上記インプラント治療を施すに際して、上記埋入孔を形成するための従来の歯用施術器具として、螺子部の先端部側の呼び径がそれぞれ異なる複数本の埋入孔形成治具によって構成されたものが知られている。
【０００４】
図７に示すように、この埋入孔形成治具１は、先端部２から基端部３に向けて漸次直径が大きくなる軸部４の外周に、１条のネジ山５によって螺子部６が形成され、且つ軸部４の基端部３に、軸部４に回転力を付与するための工具が係合される係合部７が一体に連設されている。
【０００５】
以上の構成からなる歯用施術器具は、まず、螺子部６の先端部２側の呼び径がそれぞれ異なる複数本の埋入孔形成治具１の中から、上記呼び径の最も小さな埋入孔形成治具１を選択し、係合部７にコネクションツール（上記工具の連結部材）を係合し、当該コネクションツールに上記工具を係合させた後に、欠如歯部の顎骨に形成しておいたガイド孔に、埋入孔形成治具１の先端部２を挿入する。そして、上記工具により埋入孔形成治具１の軸部４に回転力を付与し、埋入孔形成治具１を回転させることによって、埋入孔形成治具１のネジ山５が上記顎骨を穿設し、上記ガイド孔を拡大する。
【０００６】
その後、埋入孔形成治具１の螺子部６先端部２側の呼び径を、０．２ｍｍ〜０．７ｍｍ程度の不定間隔をおいて、段階的に大きくなるよう選択し、人工歯根が挿入可能となる大きさになるまで、さらに上記ガイド孔を拡大していくことにより、最終的に上記埋入孔を形成する。
【発明の概要】
【発明が解決しようとする課題】
【０００７】
ところで、従来技術の上記歯用施術器具は、埋入孔形成治具１の螺子部６を１条のネジ山５のみで構成しているために、埋入孔形成治具１が一回転する間に軸方向に進む距離（リード）が短く、上記埋入孔を形成するのに時間を有するという問題点があった。
【０００８】
また、上記埋入孔を形成する際、埋入孔形成治具を正確に予定の進行方向に進行させることが要求されているのに対して、顎骨と埋入孔形成治具１が接触している部分が１条のネジ山５のみであることから接触面積が少なく、進行方向が安定せずに、埋入孔形成治具１が予定の進行方向から逸れ易いという問題点があった。
【０００９】
さらに、埋入孔形成治具１の切削力が、上記顎骨の一条のネジ山５との接触部のみに掛かってしまうために、埋入孔形成治具１のネジ山５が上記顎骨を削って上記埋入孔を形成する。このため、前歯部のように骨幅が狭小な部分に上記埋入孔形成治具１を使用すると、上記人工歯根を支承する骨が薄くなってしまい、上記人工歯根を安定した状態に取付け可能な上記埋入孔を形成することが困難であるという問題点があった。
【００１０】
また、上記埋入孔形成治具の係合部に工具を係合して使用する際、ハンドドライバー等の工具は外周係合部と係合する部分が小さく、欠如歯部の周囲の歯と接触することがないが、レンチ等の工具は外周係合部と係合する部分が大きく、欠如歯部の周囲の歯と上記レンチ等の工具が接触してしまう可能性があった。このため、上記工具の外周係合部２２と係合する部分の大きさよって、上記埋入孔の形成が困難となることがあった。
【００１１】
一方、従来の上記歯用施術器具を構成している複数の埋入孔形成治具１は、それぞれの軸部４の先端部２側の呼び径を０．２ｍｍ〜０．７ｍｍ程度の不定間隔をおいて、段階的に大きくなるように形成しているために、最初は０．２ｍｍの間隔をおいて上記ガイド孔を拡大していたのに対し、後段において０．７ｍｍの間隔をおいて上記ガイド孔を拡大してしまうと、顎骨に負荷が掛かり、顎骨が削れてしまう可能性がある。また、これにより、上記埋入孔の上記人工歯根を支承する骨が薄くなってしまい、当該人工歯根を安定した状態に取付け可能な上記埋入孔を形成することが困難であるという問題点があった。
【００１２】
また、従来の上記歯用施術器具は、全ての埋入孔形成治具１の軸部９の先端部２から基端部３の長さ寸法を、前歯部のように歯冠と歯根が長い箇所でも上記埋入孔を形成可能な長さ寸法に形成し、さらに工具を装着する際に、係合部にコネクションツールを介して上記工具を係合しているために、埋入孔形成治具１の先端部２から上記工具の付け根までの長さ寸法が大きくなっている。このため、臼歯部のように歯列の中でも中方・後方にあり、上顎骨と下顎との間が狭くなっている箇所に対しては、上記埋入孔形成治具１が挿入し難くなっており、上記埋入孔を形成するのが困難であるという問題点があった。
【００１３】
本発明は、従来技術の問題点を解決すべくなされたもので、欠如歯部の顎骨に効率的に人工歯根を埋入すべく埋入孔を形成することが可能な埋入孔形成治具および歯用施術器具を提供するものである。
【課題を解決するための手段】
【００１４】
上記課題を解決するために、請求項１に記載の埋入孔形成治具は、人工歯根を埋入させる埋入孔を欠如歯部の顎骨に形成するための埋入孔形成治具であって、先端部から基端部に向けて漸次直径が大きくなる軸部の先端部側の外周に、多条ネジによって螺子部が形成されるとともに、上記軸部の基端部に、上記軸部に回転力を付与するための工具が係合される係合部が一体に連設されてなることを特徴とするものである。
【００１５】
ここで、本明細書中において、多条ネジとは、少なくとも２条以上のネジ山を有して構成されたネジを意味するものである。
【００１６】
また、請求項２に記載の埋入孔形成治具は、上記係合部が、外周に上記工具が着脱自在に係合される外周係合部と、端面に上記工具の接合部材が着脱自在に係合される端面係合部とを備えてなることを特徴とするものである。
【００１７】
一方、請求項３に記載の歯用施術器具は、複数本の請求項１または請求項２のいずれかに記載の上記埋入孔形成治具を有してなり、且つ当該複数本の上記埋入孔形成治具において、上記軸部の先端部と基端部との間の長さ寸法が、前歯部に上記人工歯根を埋入可能となる寸法に形成された複数本の前歯部用埋入孔形成治具と、臼歯部に上記人工歯根を埋入可能となる寸法に形成された複数本の臼歯部用埋入孔形成治具によって構成されてなることを特徴とするものである。
【００１８】
他方、請求項４に記載の歯用施術器具は、請求項３に記載の歯用施術器具において、複数本の上記前歯部用および臼歯部用埋入孔形成治具のそれぞれ上記螺子部の先端部側の呼び径が、０．４ｍｍ以下の一定間隔をおいて、段階的に大きくなるように形成されているとともに、上記段階的に形成された複数の前歯部用および臼歯部用埋入孔形成治具は、それぞれ段階毎に、上記基端部の径が、上記螺子部の先端部側の呼び径に比べて同径または大径となる寸法に形成されていることを特徴とするものである。
【発明の効果】
【００１９】
請求項１に記載の本発明によれば、埋入孔形成治具は、先端部から基端部に向けて漸次直径が大きくなる軸部の先端部側の外周に、多条ネジによって螺子部が形成されるとともに、上記軸部の基端部に、上記軸部に回転力を付与するための工具が係合させる係合部が一体に連設されているために、上記工具により上記軸部に回転力を付与し、上記軸部を回転させることによって、上記螺子部のネジ山が、顎骨のガイド孔を、人工歯根を埋入可能な大きさになるまで拡大し、最終的に埋入孔を形成する。
【００２０】
そして、この際、上記螺子部は、多条ネジからなるために、従来の１条のネジ山のみ上記顎骨と接触していた埋入孔形成治具に比べ、ネジ山が多くなる分、上記埋入孔形成治具と顎骨との接触面積が増加し、上記埋入孔形成治具の進行が安定化する。これにより、当該埋入孔形成治具が予定の進行方向に進行し、この結果、人工歯根を確実に所定位置に埋入することが可能となる。
【００２１】
また、上記顎骨が上記ネジ山と複数箇所で接触していることから、一つの接触部に掛かる上記埋入孔形成治具の切削力が各々の上記ネジ山に分散されるために、上記顎骨を削り出すのでは無く、上記顎骨のガイド孔の壁部を外方に押し広げてガイド孔を拡大していく。これにより、上記人工歯根を支承する骨が上記顎骨に確実に残るため、上記人工歯根を安定した状態に取付け可能な埋入孔を形成することが可能となる。
【００２２】
さらに、上記埋入孔形成治具の螺子部は、多条ネジであることから埋入孔形成治具が一回転する間に軸方向に進む距離（リード）が長くなるため、上記埋入孔を形成する時間を短縮することが可能となり、効率的に上記埋入孔を形成することが可能となる。
【００２３】
また、請求項２に記載の本発明によれば、上記係合部は、外周に上記工具が着脱自在に係合される外周係合部と、端面に上記工具の接続部材が着脱自在に係合される端面係合部とを備えてなるために、当該端面係合部と上記工具との間に接続部材を装着することにより、上記工具と欠如歯部の周囲の歯との間に間隔を設けることができる。これにより、上記工具が欠如歯部の周囲の歯と接触することが無くなり、この結果、確実に上記埋入孔を形成することが可能となる。
【００２４】
そして、請求項３に記載の本発明によれば、歯用施術器具は、複数本の前歯部用埋入孔形成治具の上記軸部の先端と基端との間の長さ寸法を、前歯部に上記人工歯根を埋入可能となる寸法に形成しているために、前歯部のように歯冠と歯根とを合わせた長さ寸法が長い箇所であっても、上記前歯部用埋入孔形成治具が欠如歯部と隣接する歯に接触することなく上記埋入孔を形成することができる。
【００２５】
また、複数本の臼歯部用埋入孔形成治具を、臼歯部に上記人工歯根を埋入可能となる寸法に形成しているために、臼歯部のように歯列の中でも中方・後方にあり、上顎骨と下顎との間が狭くなっている箇所であっても、上記臼歯部用埋入孔形成治具が上顎骨または下顎骨と接触することなく上記埋入孔を形成することができる。
【００２６】
このように、欠如歯部に応じて、それぞれ長さ寸法の異なる前歯部および臼歯部用埋入孔形成治具を適宜選択可能とすることにより、前歯部および臼歯部に効率的に且つ確実に人工歯根を埋入可能な深さ寸法の埋入孔を穿設することが可能となる。
【００２７】
さらに、請求項４記載の本発明によれば、複数本の上記前歯部用および臼歯部用埋入孔形成治具において、それぞれ上記螺子部の先端部側の呼び径が、０．４ｍｍ以下の一定間隔をおいて、段階的に大きくなるように形成されているために、従来に比べて、顎骨に負荷が掛からなくなる。これにより、上記顎骨を削り出すことなく、上記顎骨のガイド孔を徐々に押し広げて拡大することが可能となる。この結果、上記人工歯根を支承する骨が確実に残るために、上記人工歯根を安定した状態に取付け可能な埋入孔を形成することが可能となる。
【００２８】
そして、上記段階的に形成された複数の前歯部用および臼歯部用埋入孔形成治具は、それぞれ段階毎に、上記基端部の径が、上記螺子部の先端部側の呼び径に比べて同径または大径となる寸法に形成されているために、顎骨に負荷を掛けることなく容易に埋入孔を穿設することが可能である。
【図面の簡単な説明】
【００２９】
【図１】本発明に係る埋入孔形成治具の一実施形態（前歯部用埋入孔形成治具）を示すものであり、（ａ）が正面図であり、（ｂ）が平面図である。
【図２】本発明に係る埋入孔形成治具の他の実施形態（臼歯部用埋入孔形成治具）を示すものであり、（ａ）が正面図であり、（ｂ）が平面図である。
【図３】本発明に係る歯用施術器具の一実施形態を示す正面図である。
【図４】図３の作用の第１実施形態を示す側面図である。
【図５】図３の作用の第２実施形態を示す側面図である。
【図６】図１および図２にレンチを装着した状態を示すものであり（ａ）は通常時の使用状態を示す側面図であり、（ｂ）はジョイント装着時の使用状態を示す側面図である。
【図７】従来の埋入孔形成治具を示す平面図である。
【発明を実施するための形態】
【００３０】
本発明に掛かる歯用施術器具の一実施形態について図１〜図６を用いて説明する。
本実施形態の歯用施術器具は、複数本（本発明においては８本）の前歯部用埋入孔形成治具と、複数本（本発明においては５本）の臼歯部用埋入孔形成治具によって構成されている。
【００３１】
ここでまず、前歯部用埋入孔形成治具について、図１および図３を用いて説明する。
この前歯部用埋入孔形成治具８は、図１に示すように、チタンまたはチタン合金によって構成されるとともに、高さ寸法が２６ｍｍに形成されており、且つ埋入孔を穿設する軸部９と、当該軸部９に回転力を付与するための工具を係合させる係合部１０によって概略構成されている。
【００３２】
上記軸部９は、先端部１１から基端部１２に向けて、漸次直径が大きくなるように形成され、且つ軸部９の先端部１１側には、埋入孔を穿設する螺子部１３が形成されるとともに、軸部９の基端部１２側には、上記埋入孔を押し広げる押圧部１４が形成されている。
【００３３】
そして、螺子部１３は、等しいピッチに形成された第１、第２および第３のネジ山１５、１６、１７からなる３条ネジによって構成されたものであり、先端部１１に複数（図においては２つ）のタッピング溝１８が軸回り方向に等間隔に、且つ軸方向に沿って穿設されている。
【００３４】
さらに、８本の前歯部用埋入孔形成治具８の螺子部１３は、図３（ａ）に示す螺子部１３の先端部１１側の呼び径が１．０ｍｍ、基端部１２の径が２．０ｍｍのものから、図３（ｂ）に示す螺子部１３の先端部１１側の呼び径が３．８ｍｍ、基端部１２の径が４．８ｍｍのものまで、０．４ｍｍの一定間隔をおいて、段階的に大きくなるように形成されており、それぞれ段階毎に、基端部１２の径が螺子部１３先端部１１側の呼び径に比べて同径または大径となる寸法に形成されている。
【００３５】
また、螺子部１３の基端部１２側に、埋入孔の深さ寸法を示す第１の深度マーキング１９が刻設されており、押圧部１４にも第２、第３の深度マーキング２０、２１が順に刻設されている。
【００３６】
この第１、第２および第３の深度マーキング１９、２０、２１は、蒸着処理によって刻設されている。そして、この第１の深度マーキング１９の先端部１１側が先端部１１から８ｍｍを示しており、基端部１２側が先端部１１から１０ｍｍを示している。また、第２の深度マーキング２０の先端部１１側が先端部１１から１２ｍｍを示しており、基端部１２側が先端部１１から１４ｍｍを示している。さらに、第３の深度マーキング２１が先端部１１から１６ｍｍを示している。
【００３７】
なお、第１、第２および第３の深度マーキング１９、２０、２１の上記８ｍｍ、１０ｍｍ、１２ｍｍ、１４ｍｍ、１６ｍｍの位置に対して、８本の前歯部用埋入孔形成治具８の螺子部１３の呼び径、および押圧部１４の直径が下記表１に記載のように対応している。
【００３８】
【表１】
2011024671.tif 000003
【００３９】
そして、軸部９の基端部１２には、軸部９に回転力を付与するための工具を係合させる係合部１０が一体に連設されている。
【００４０】
この係合部１０は、外周に工具が着脱自在に係合される外周係合部２２が形成されるとともに、端面２３に上記工具の接合部材が着脱自在に係合される端面係合部２４が形成されている。そして、外周係合部２２は、係合部１０の外周を四角柱状に形成することにより構成されており、端面係合部２４は、図１（ａ）に示すように、平面視六角形状の凹部を穿設することにより構成されている。
【００４１】
次に、臼歯部用埋入孔形成治具について、図２および図３を用いて説明する。
まず、臼歯部用埋入孔形成治具２５の、図２に示すように、チタンまたはチタン合金によって構成されるとともに、高さ寸法が２．２ｍｍに形成されており、且つ埋入孔を穿設する軸部２６と、当該軸部２６に回転力を付与するための工具を係合させる係合部２７によって概略構成されている。
【００４２】
上記軸部２６は、先端部２８から基端部２９に向けて、漸次直径が大きくなるように形成され、且つ先端部２８側には、埋入孔を穿設する螺子部３０が形成されるとともに、軸部２６の基端部２９側には、上記埋入孔を押し広げる押圧部３１が形成されている。
【００４３】
そして、螺子部３０は、等しいピッチに形成された第１、第２および第３のネジ山３２、３３、３４からなる３条ネジによって構成されたものであり、先端部２８に複数（図には２つ、）のタッピング溝３５が軸回り方向に等間隔に、且つ軸方向に沿って穿設されている。
【００４４】
さらに、５本の臼歯部用埋入孔形成治具２５の螺子部３０は、図３（ｃ）に示す螺子部３０の先端部２８側の呼び径が２．２ｍｍ、基端部２９の径が３．２ｍｍのものから、図３（ｄ）に示す螺子部３０の先端部２８側の呼び径が３．８ｍｍ、基端部２９の径が４．８ｍｍのものまで、０．４ｍｍの一定間隔をおいて、段階的に大きくなるように形成されており、それぞれ段階毎に、基端部２９の径が螺子部３０の先端部２８側の呼び径に比べて同径または大径となる寸法に形成されている。
【００４５】
また、螺子部３０には、埋入孔の深さ寸法を示す第１の深度マーキング３６が刻設されており、押圧部３１にも、第２の深度マーキング３７が順に刻設されている。
【００４６】
この第１および第２の深度マーキング３６、３７は、蒸着処理によって刻設されている。そして、この第１の深度マーキング３６の先端部２８側が先端部２８から８ｍｍを示しており、基端部２９側が先端部２８から１０ｍｍを示している。また、第２の深度マーキング３７の先端部２８側が先端部２８から１２ｍｍを示しており、基端部２９側が先端部２８から１４ｍｍを示している。
【００４７】
なお、第１、第２および第３の深度マーキング３６、３７の上記８ｍｍ、１０ｍｍ、１２ｍｍ、１４ｍｍの位置に対して、５本の臼歯部用埋入孔形成治具２５の螺子部３０の呼び径、および押圧部３１の直径が下記表２に記載のように対応している。
【００４８】
【表２】
2011024671.tif 000004
【００４９】
そして、軸部２６の基端部２９の端面には、軸部２６に回転力を付与するための工具を係合させる係合部２７が一体に連設されている。
【００５０】
この係合部２７は、外周に工具が着脱自在に係合される外周係合部３８が形成されるとともに、端面３９に工具の接続部材が着脱自在に係合する端面係合部４０が形成されている。そして、外周係合部３８は、係合部２７の外周を四角柱状に形成することにより構成されており、端面係合部４０は、図２（ａ）に示すように、端面３９に平面視六角形状の凹部を穿設することにより構成されている。
【００５１】
次に、以上の構成からなる歯用施術器具の作用を図４および図５を用いて説明する。
図４は、臼歯を抜歯した後、即時に人工歯根を埋入する際の歯用施術器具の作用を示すものであり、臼歯部用埋入孔形成治具２５を用いて埋入孔を穿設しているものである。
【００５２】
まず、前歯部用埋入孔形成治具８の中から、螺子部１３の先端部１１側の呼び径が最も小さなもの、即ち螺子部１３の先端部１１側の呼び径が１．０ｍｍ、基端部１２の径２．０ｍｍのものを選択する。そして、四角柱状に形成された外周係合部２２に、ハンドドライバー４１（工具）の先端に設けられ、先端面に平面視四角形状の凹部を有するソケット部５１を係合させる。
【００５３】
次いで、図４（ａ）に示すように、顎骨４２に形成しておいたガイド孔４３に、前歯部用埋入孔形成治具８の先端部１１を挿入する。そして、ハンドドライバー４１により前歯部用埋入孔形成治具８の軸部９に回転力を付与し、前歯部用埋入孔形成治具８を回転させることによって、前歯部用埋入孔形成治具８のネジ山１５、１６、１７が顎骨４２を穿設し、ガイド孔４３の径が２．０ｍｍになるまで拡大させる。
【００５４】
次いで、前歯部用埋入孔形成治具８の中から、螺子部１３の先端部１１側の呼び径が１．４ｍｍｍ、基端部１２の径が２．４ｍｍのものを選択し、ハンドドライバー（工具）４１のソケット部５１を外周係合部２２に係合する。
【００５５】
そして、２．０ｍｍに拡大したガイド孔４３に、前歯部用埋入孔形成治具８の先端部１１を挿入する。そして、ハンドドライバー４１により前歯部用埋入孔形成治具８の軸部９に回転力を付与し、前歯部用埋入孔形成治具８を回転させることによって、前歯部用埋入孔形成治具８のネジ山１５、１６、１７が顎骨４２を穿設し、ガイド孔４３の径が２．４ｍｍになるまで拡大させる。
【００５６】
次いで、臼歯部用埋入孔形成治具２５の中から、螺子部３０の先端部２８側の呼び径が最も小さなもの、即ち螺子部３０の先端部２８側の呼び径が２．２ｍｍ、基端部２９の径３．２ｍｍのものを選択し、ハンドドライバー４１のソケット部５１を外周係合部３８に係合する。
【００５７】
そして、図４（ｂ）に示すように、先の拡大したガイド孔４３に、臼歯部用埋入孔形成治具２５の先端部２７を挿入する。そして、ハンドドライバー４１を回転させることにより臼歯部用埋入孔形成治具２５の軸部２６に回転力を付与し、臼歯部用埋入孔形成治具２５を回転させることによって、臼歯部用埋入孔形成治具２５のネジ山３２、３３、３４が顎骨４２を穿設し、さらにガイド孔４３を拡大させる。
【００５８】
その後、臼歯部用埋入孔形成治具２５の螺子部３０の先端部２７側の呼び径を、０．４ｍｍの一定間隔をおいて、段階的に大きくなるよう選択し、人工歯根４５が挿入可能となる大きさになるまでガイド孔４３を拡大していくことにより、図４（ｃ）に示すように、最終的に埋入孔４４を形成する。
【００５９】
この際、臼歯部用埋入孔形成治具２５は、先端部２８から基端部２９に向けて漸次直径が大きくなる軸部２６の先端部２７側の外周に、３条ネジからなる螺子部３０を形成しているために、ネジ山３２、３３、３４と顎骨４２との接触面積が増加して、臼歯部埋入孔形成治具２５の進行が安定化する。これにより、当該臼歯部用埋入孔形成治具２５が予定の進行方向に進行し、この結果、人工歯根４５を確実に所定位置に埋入することが可能となる。
【００６０】
そして、顎骨４２がネジ山３２、３３、３４と計３箇所で接触していることから、一つの接触部に掛かる臼歯部用埋入孔形成治具２５の切削力が各々のネジ山３２，３３、３４に分散されるために、顎骨４２を削り出すのでは無く、顎骨４２のガイド孔４３の壁部を外方に押し広げて、ガイド孔４３を拡大していく。これにより。人工歯根４５を支承する骨が顎骨４２に確実に残るため、人工歯根４５を安定した状態に取付け可能な埋入孔４４を形成することが可能となる。
【００６１】
また、臼歯部用埋入孔形成治具２５の螺子部３０の先端部２８側の呼び径を、０．４ｍｍの一定間隔をおいて、段階的に大きくなるように形成しているために、従来に比べて、顎骨４２に負荷が掛からなくなる。これにより、顎骨４２を削り出すことなく、顎骨４２のガイド孔４３を徐々に押し広げて拡大することが可能となる。この結果、人工歯根４５を支承する顎骨４２が確実に残るために、人工歯根４５を安定した状態に取付け可能な埋入孔４４を形成することが可能となる。
【００６２】
さらに、臼歯部用埋入孔形成治具２５は、３条ネジであることから、当該臼歯部用埋入孔形成治具２５が一回転する間に軸方向に進む距離（リード）が長くなるため、埋入孔４４を形成する時間を短縮することが可能となり、効率的に埋入孔４４を形成することが可能となる。
【００６３】
そして、５本の臼歯部用埋入孔形成治具２５は、それぞれ段階毎に、基端部２９の径が、螺子部３０の先端部２８側の呼び径に比べて同径または大径となる寸法に形成されているために、顎骨４２に負荷を掛けることなく容易に埋入孔４４を穿設することが可能である。
【００６４】
また、臼歯部用埋入孔形成治具２５は、先端部２８にタッピング溝３５を穿設しているために、滑らかにガイド孔４３を拡大することができ、容易に埋入孔４４を穿設することが可能となる。
【００６５】
さらに、臼歯部用埋入孔形成治具２５を、臼歯部に人工歯根４５を埋入可能となる寸法に形成しているために、臼歯部のように歯列の中でも中方・後方にあり、上顎骨と下顎との間が狭くなっている箇所であっても、臼歯部用埋入孔形成治具２５が上顎骨または下顎骨と接触することがなくなる。これにより、臼歯部に効率的に且つ確実に人工歯根４５を埋入可能な深さ寸法の埋入孔４４を穿設することが可能となる。
【００６６】
次に、図５は、前歯部のような狭窄骨に人工歯根４５を埋入する際の歯用施術器具の作用を示すものであり、前歯部用埋入孔形成治具８を用いて埋入孔を穿設しているものである。
【００６７】
まず、前歯部用埋入孔形成治具８の中から、螺子部１３の先端部１１側の呼び径が最も小さなもの、即ち螺子部１３の先端部１１側の呼び径が１．０ｍｍ、基端部１２の径２．０ｍｍのものを選択し、ハンドドライバー（工具）４１のガイド部５１を外周係合部２２に係合する。
【００６８】
次いで、図５（ａ）に示すように、顎骨４７に形成しておいたガイド孔４６に、前歯部用埋入孔形成治具８の先端部１１を挿入する。そして、ハンドドライバー４１により前歯部用埋入孔形成治具８の軸部９に回転力を付与し、前歯部用埋入孔形成治具８を回転させることによって、前歯部用埋入孔形成治具８のネジ山１５、１６、１７が顎骨４７を穿設し、ガイド孔４６の径が２．０ｍｍになるまで拡大させる。
【００６９】
その後、図５（ｂ）に示すように、前歯部用埋入孔形成治具８の螺子部１３の先端部１１側の呼び径を、０．４ｍｍの一定間隔をおいて、段階的に大きくなるよう選択し、人工歯根４５が挿入可能となる大きさになるまでガイド孔４６を拡大していくことにより、図５（ｃ）に示すように最終的に埋入孔４８を形成する。
【００７０】
この際、前歯部用埋入孔形成治具８は、先端部１１から基端部１２に向けて漸次直径が大きくなる軸部９の先端部１１側の外周に、３条ネジからなる螺子部１３を形成しているために、ネジ山１５、１６、１７と顎骨４７との接触面積が増加して、前歯部埋入孔形成治具８の進行が安定化する。これにより、当該前歯部用埋入孔形成治具８が予定の進行方向に進行し、この結果、人工歯根４５を確実に所定位置に埋入することが可能となる。
【００７１】
そして、顎骨４７がネジ山１５、１６、１７と計３箇所で接触していることから、一つの接触部に掛かる前歯部用埋入孔形成治具８の切削力が各々に分散されるために、顎骨４７を削り出すのでは無く、顎骨４７のガイド孔４６の壁部を外方に押し広げて、ガイド孔４６を拡大していく。これにより。人工歯根４５を支承する骨が顎骨４７に確実に残るため、人工歯根４５を安定した状態に取付け可能な埋入孔４８を形成することが可能となる。
【００７２】
また、前歯部用埋入孔形成治具８の螺子部１３の先端部１１側の呼び径を、０．４ｍｍの一定間隔をおいて、段階的に大きくなるように形成しているために、従来に比べて、顎骨４７に負荷が掛からなくなる。これにより、顎骨４７を削り出すことなく、顎骨４７のガイド孔４６を徐々に押し広げて拡大することが可能となる。この結果、人工歯根４５を支承する骨が確実に残るために、人工歯根４５を安定した状態に取付け可能な埋入孔４８を形成することが可能となる。
【００７３】
さらに、前歯部用埋入孔形成治具８は、３条ネジであることから、当該前歯部用埋入孔形成治具８が一回転する間に軸方向に進む距離（リード）が長くなるために、埋入孔４８を形成する時間を短縮することが可能となり、効率的に埋入孔４８を形成することが可能となる。
【００７４】
また、７本の前歯部用埋入孔形成治具８は、それぞれ段階毎に、基端の呼び径が、螺子部１３の先端部１１側の呼び径に比べて同径または大径となる寸法に形成されているために、顎骨４７に負荷を掛けることなく容易に埋入孔４８を穿設することが可能である。
【００７５】
そして、前歯部用埋入孔形成治具８は、先端部１１にタッピング溝１８を穿設しているために、滑らかにガイド孔４６を拡大することができ、容易に埋入孔４８を穿設することが可能となる。
【００７６】
また、前歯部用埋入孔形成治具８の軸部９の先端部１１と基端部１２との間の長さ寸法を、前歯部に人工歯根４５を埋入可能となる寸法に形成しているために、前歯部のように歯冠と歯根とを合わせた長さ寸法が長い箇所であっても、前歯部用埋入孔形成治具８が欠如歯部と隣接する歯に接触することなくなる。これにより、前歯部に効率的に且つ確実に人工歯根４５を埋入可能な深さ寸法の埋入孔４８を穿設することが可能となる。
【００７７】
一方、上記歯用施術器具によれば、前歯部用および臼歯部用埋入孔形成治具８、２５を、チタンまたはチタン合金により構成し、深度マーキング１９、２０、２１、３６、３７を蒸着処理により刻設している。これにより、一般に埋入孔形成治具に使用されるステンレスに比べて、蒸着の載りが良くなることから、長期間使用しても深度マーキング１９、２０、２１、３６、３７が消えてしまうことが無い。
【００７８】
他方、本実施形態の歯用施術器具の作用を説明した際、前歯部用埋入孔形成治具８および臼歯部用埋入孔形成治具２５の係合部１０、２７の外周係合部２２、３８に、ハンドドライバー４１を係合したが、上顎骨と下顎骨との間の間隔が狭い箇所に関しては、図６に示すように、前歯部用埋入孔形成治具８および臼歯部用埋入孔形成治具２５の係合部１０、２７の外周係合部２２、３８との係合部を平面視四角形状の凹部を形成したレンチ４９を使うのがより好ましい。
【００７９】
この際、本実施形態の前歯部用埋入孔形成治具８および臼歯部用埋入孔形成治具２５は、係合部１０、２７の端面２３、３９に、端面係合部２４、４０を形成しているために、図６（ｂ）に示すように、当該端面係合部２４、４０に、外周を六角柱状に形成したジョイント５０（工具の接続部材）の一端部を係合し、外周を四角柱状に形成したジョイント５０の他端部に、レンチ４９の係合部に係合することによって、レンチ４８と前歯または臼歯との間に間隔を設けることができ、レンチ４９が前歯または臼歯と接触することなくなる。これにより、確実に埋入孔４４、４８を穿設することが可能となる。
【００８０】
なお、本実施形態の歯用施術器具の埋入孔形成治具８、２５においては、３条ネジを使用したが、２条以上のネジ山を有するものであれば、いずれも対応可能である。
【符号の説明】
【００８１】
８  前歯部用埋入孔形成治具
９  軸部
１０  係合部
１１  先端部
１２  基端部
１３  螺子部
２２  外周係合部
２３  端面
２４  端面係合部
２５  臼歯部用埋入孔形成治具
２６  軸部
２７  係合部
２８  先端部
２９  基端部
３０  螺子部
３８  外周係合部
３９  端面
４０  端面係合部
４４  埋入孔（臼歯部用埋入孔形成治具使用時）
４５  人工歯根
４１  ハンドドライバー（工具）
４８  埋入孔（前歯部用埋入孔形成治具使用時）
４９  レンチ（工具）
５０  ジョイント（工具の接続部材）
【図１】
2011024671.tif 000005
【図２】
2011024671.tif 000006
【図３】
2011024671.tif 000007
【図４】
2011024671.tif 000008
【図５】
2011024671.tif 000009
【図６】
2011024671.tif 000010
【図７】
2011024671.tif 000011